(57)【要約】【課題】本発明は、超音波の反射波に含まれる高調波成分を受信して増幅することができる超音波探触子および超音波診断装置を提供する。【解決手段】本発明に係る、被検体内に第１超音波信号を送信し第１超音波信号に基づく被検体内から来た第２超音波信号を受信する超音波探触子２は、無機圧電材料を備えて成り、圧電現象を利用することによって送信電気信号を第１超音波信号に変換する送信用圧電部２２と、有機圧電材料を備えて成り、圧電現象を利用することによって第２超音波信号を受信電気信号に変換する受信用圧電部２４と、第１超音波信号の周波数を基本周波数とした場合に、受信電気信号の周波数成分のうち、第２超音波信号の高調波成分に対応する周波数成分を増幅する増幅部２７とを備える。【選択図】図３
2009297326.tif 000002
【特許請求の範囲】
【請求項１】
被検体内に第１超音波信号を送信し前記第１超音波信号に基づく前記被検体内から来た第２超音波信号を受信する超音波探触子において、
無機圧電材料を備えて成り、圧電現象を利用することによって送信電気信号を前記第１超音波信号に変換する送信用圧電部と、
有機圧電材料を備えて成り、圧電現象を利用することによって前記第２超音波信号を受信電気信号に変換する受信用圧電部と、
前記第１超音波信号の周波数を基本周波数とした場合に、前記受信電気信号の周波数成分のうち、前記第２超音波信号の高調波成分に対応する周波数成分を増幅する増幅部とを備えること
を特徴とする超音波探触子。
【請求項２】
前記増幅部は、周波数とゲインとの対応関係を示すゲイン特性が非線形であること
を特徴とする請求項１に記載の超音波探触子。
【請求項３】
第１端子の接続を、前記送信用圧電部に接続される第２端子、または、前記受信用圧電部に前記増幅部を介して接続される第３端子に切り換えることができるスイッチ部をさらに備えること
を特徴とする請求項１または請求項２に記載の超音波探触子。
【請求項４】
前記送信用圧電部および前記受信用圧電部は、前記送信用圧電部上に前記受信用圧電部が積層され、前記受信用圧電部の前方に前記第１および第２超音波信号の送受信面が在ること
を特徴とする請求項１ないし請求項３のいずれか１項に記載の超音波探触子。
【請求項５】
前記送信用圧電部は、アレイ状に２次元配列された複数の圧電素子を備え、
前記受信用圧電部は、アレイ状に２次元配列された複数の有機圧電素子を備えること
を特徴とする請求項１ないし請求項４のいずれか１項に記載の超音波探触子。
【請求項６】
請求項１ないし請求項５のいずれか１項に記載の超音波探触子を備えること
を特徴とする超音波診断装置。
【発明の詳細な説明】
【技術分野】
【０００１】
本発明は、超音波を送受信可能な超音波探触子に関し、特に、高調波成分を受信して増幅することができる超音波探触子およびこの超音波探触子を備えた超音波診断装置に関する。
【背景技術】
【０００２】
超音波は、通常、１６０００Ｈｚ以上の音波をいい、非破壊、無害および略リアルタイムでその内部を調べることが可能なことから、欠陥の検査や疾患の診断等の様々な分野に応用されている。その一つに、被検体内を超音波で走査し、被検体内から来た超音波の反射波（エコー）から生成した受信信号に基づいて当該被検体内の内部状態を画像化する超音波診断装置がある。この超音波診断装置は、医療用では、他の医療用画像装置に較べて小型で安価であり、そして、Ｘ線等の放射線被爆が無く安全性が高いこと、また、ドップラ効果を応用した血流表示が可能であること等の様々な特長を有している。このため、超音波診断装置は、循環器系（例えば心臓の冠動脈等）、消化器系（例えば胃腸等）、内科系（例えば肝臓、膵臓および脾臓等）、泌尿器系（例えば腎臓および膀胱等）および産婦人科系等で広く利用されている。この超音波診断装置には、被検体に対して超音波（超音波信号）を送受信する超音波探触子が用いられている。この超音波探触子は、圧電現象を利用することによって、送信の電気信号に基づいて機械振動して超音波（超音波信号）を発生し、被検体内部で音響インピーダンスの不整合によって生じる超音波（超音波信号）の反射波を受けて受信の電気信号を生成する複数の圧電素子を備え、これら複数の圧電素子が例えばアレイ状に２次元配列されて構成されている（例えば、特許文献１参照）。
【０００３】
この超音波の反射波は、一般に、微弱であり、また、２次元アレイの超音波探触子では、圧電素子における超音波の受信面積が小さい（狭い）。このため、良好な超音波画像を形成するために、圧電素子から出力される受信電気信号を増幅する必要がある。例えば、特許文献２に開示の超音波診断装置は、超音波を発生するための送信パルスを発生する送信手段と、前記送信パルスに応じて超音波を発生する送信専用素子と、超音波を受波して電気信号に変換する受信専用素子と、前記受信専用素子で形成された電気信号を増幅するものであり、前記送信パルスが供給されないように構成された増幅手段と、前記増幅手段により増幅された電気信号に基づいて超音波画像を形成する画像処理手段とを有している。そして、この構成によって、特許文献２に開示の超音波診断装置では、２次元アレイプローブ内に集積度の低い増幅手段を設けることができ、電気信号のＳＮ比の向上を図ることができる。
【特許文献１】特開２００４−０８８０５６号公報
【特許文献２】特開２０００−１３９９０７号公報
【発明の開示】
【発明が解決しようとする課題】
【０００４】
ところで、近年では、超音波探触子から被検体内へ送信された超音波の周波数（基本周波数）成分ではなく、その高調波周波数成分（高調波成分）によって被検体内の内部状態の画像を形成するハーモニックイメージング（Harmonic Imaging）技術が研究、開発されている。このハーモニックイメージング技術では、超音波探触子は、基本周波数成分に対する高調波成分を受信する必要がある。そして、この超音波の反射波に含まれる高調波成分は、この超音波の反射波に含まれる基本周波数成分に較べて微弱であるため、超音波探触子は、この高調波成分を増幅する必要もある。
【０００５】
一方、前記特許文献２に開示の超音波診断装置における送信専用素子および受信専用素子は、特許文献２における先行技術の送受信素子を特許文献２の発明の趣旨に応じて分割することによって生じたものである。このため、これら特許文献２の送信専用素子および受信専用素子における送信周波数帯域および受信周波数帯域は、同一である。したがって、前記特許文献２に開示の受信専用素子は、高調波成分を受信することに適するものではなく、また、受信専用素子から出力される電気信号を増幅する増幅手段は、高調波成分を増幅するものでもない。
【０００６】
本発明は、上述の事情に鑑みて為された発明であり、その目的は、超音波の反射波に含まれる高調波成分を受信して増幅することができる超音波探触子および超音波診断装置を提供することである。
【課題を解決するための手段】
【０００７】
本発明者は、種々検討した結果、上記目的は、以下の本発明により達成されることを見出した。すなわち、本発明に係る一態様では、被検体内に第１超音波信号を送信し前記第１超音波信号に基づく前記被検体内から来た第２超音波信号を受信する超音波探触子において、無機圧電材料を備えて成り、圧電現象を利用することによって送信電気信号を前記第１超音波信号に変換する送信用圧電部と、有機圧電材料を備えて成り、圧電現象を利用することによって前記第２超音波信号を受信電気信号に変換する受信用圧電部と、前記第１超音波信号の周波数を基本周波数とした場合に、前記受信電気信号の周波数成分のうち、前記第２超音波信号の高調波成分に対応する周波数成分を増幅する増幅部とを備えることを特徴とする。
【０００８】
このような構成の超音波探触子では、送信用圧電部が無機圧電材料を備えて構成されている。したがって、送信パワーを比較的簡単な構造で大きくすることが可能であるため、このような構成の超音波探触子は、比較的大きなパワーで基本波の第１超音波信号を送信することができ、より大きな第２超音波信号の高調波成分を得ることができる。そして、受信用圧電部が有機圧電材料を備えて構成されている。したがって、このような構成の超音波探触子は、周波数帯域を比較的簡単な構造で広帯域にすることが可能であるため、第２超音波信号に含まれる高調波成分を受信することができる。さらに、受信電気信号の周波数成分のうち、第２超音波信号の高調波成分に対応する周波数成分を増幅する増幅部が備えられている。このため、上記構成の超音波探触子は、第２超音波信号に含まれる高調波成分を増幅することができる。したがって、上記構成の超音波探触子は、第２超音波信号の高周波成分を背景技術に較べてより良好に受信することができ、そして、より良好に増幅することができる。
【０００９】
また、圧電素子で超音波信号を受信する場合に、通常、バイアス電圧が印加され、より大きな出力を得る場合には、大きなバイアス電圧の印加が必要となる。上記構成の超音波探触子では、受信電気信号を増幅する前記増幅部を備えるので、必ずしも大きなバイアス電圧の印可が必要ではない。このため、耐電圧が比較的低い有機圧電材料を受信用圧電部に用いることも可能となる。
【００１０】
そして、このような構成の超音波探触子は、第２超音波信号の高調波成分を増幅して出力することが可能であるので、ハーモニックイメージング技術によって超音波画像を形成する超音波診断装置に好適である。
【００１１】
また、上述の超音波探触子において、前記増幅部は、周波数とゲインとの対応関係を示すゲイン特性が非線形であることを特徴とする。
【００１２】
上記構成によれば、増幅部が非線形なゲイン特性を持つので、受信電気信号の高調波成分をより適切に増幅することが可能となる。
【００１３】
また、これら上述の超音波探触子において、第１端子の接続を、前記送信用圧電部に接続される第２端子、または、前記受信用圧電部に前記増幅部を介して接続される第３端子に切り換えることができるスイッチ部をさらに備えることを特徴とする。
【００１４】
上記構成によれば、スイッチ部が第１端子の接続を第２端子または第３端子に切り換えるので、第１端子を入出力端子とすることができ、この第１端子に接続する信号線を、送信用圧電部へ送信電気信号を送る送信用信号線および受信用圧電部から受信電気信号を送る受信用信号線として兼用することが可能となる。
【００１５】
また、これら上述の超音波探触子において、前記送信用圧電部および前記受信用圧電部は、前記送信用圧電部上に前記受信用圧電部が積層され、前記受信用圧電部の前方に前記第１および第２超音波信号の送受信面が在ることを特徴とする。
【００１６】
上記構成によれば、送信用圧電部および受信用圧電部は、第１および第２超音波信号の送受信方向において、送受信面、受信用圧電部および送信用圧電部の順で配置されている。このため、第２超音波信号を受信する際に、第２超音波信号が受信用圧電部に到達する超音波探触子内の伝播長は、送信用圧電部および受信用圧電部が第１および第２超音波信号の送受信方向において送受信面、送信用圧電部および受信用圧電部の順で積層されている場合に較べて、短くなり、第２超音波信号の減衰をより少なくすることができると共に、伝播中にノイズが乗る（重畳する）機会を低減することができる。したがって、上記構成の超音波探触子は、第１超音波信号に較べて微弱な第２超音波信号の受信に好適である。
【００１７】
また、これら上述の超音波探触子において、前記送信用圧電部は、アレイ状に２次元配列された複数の圧電素子を備え、前記受信用圧電部は、アレイ状に２次元配列された複数の有機圧電素子を備えることを特徴とする。
【００１８】
上記構成によれば、被検体の３次元超音波画像の形成が可能となる。
【００１９】
そして、本発明の他の一態様にかかる超音波診断装置は、これら上述のうちのいずれかの超音波探触子を備えることを特徴とする。
【００２０】
上記構成によれば、超音波の反射波に含まれる高調波成分を受信して増幅することができる超音波診断装置の提供が可能となる。
【発明の効果】
【００２１】
本発明にかかる超音波探触子および超音波診断装置は、超音波の反射波（第２超音波信号）に含まれる高調波成分を受信して増幅することができる。
【発明を実施するための最良の形態】
【００２２】
以下、本発明に係る実施の一形態を図面に基づいて説明する。なお、各図において同一の符号を付した構成は、同一の構成であることを示し、その説明を省略する。
【００２３】
図１は、実施形態における超音波診断装置の外観構成を示す図である。図２は、実施形態における超音波診断装置の電気的な構成を示すブロック図である。図３は、実施形態の超音波診断装置における超音波探触子の構成を示す図である。図４は、実施形態の超音波診断装置における超音波探触子の構成を示す斜視図である。
【００２４】
超音波診断装置Ｓは、図１および図２に示すように、図略の生体等の被検体に対して超音波（第１超音波信号）を送信すると共に、この被検体で反射した超音波の反射波（エコー、第２超音波信号）を受信する超音波探触子２と、超音波探触子２とケーブル３を介して接続され、超音波探触子２へケーブル３を介して電気信号の送信信号（送信電気信号）を送信することによって超音波探触子２に被検体に対して第１超音波信号を送信させると共に、超音波探触子２で受信された被検体内から来た第２超音波信号に応じて超音波探触子２で生成された電気信号の受信信号（受信電気信号）に基づいて被検体内の内部状態を超音波画像として画像化する超音波診断装置本体１とを備えて構成される。
【００２５】
超音波診断装置本体１は、例えば、図２に示すように、操作入力部１１と、送信部１２と、受信部１３と、画像処理部１４と、表示部１５と、制御部１６とを備えて構成されている。
【００２６】
操作入力部１１は、例えば、診断開始を指示するコマンドや被検体の個人情報等のデータを入力するものであり、例えば、複数の入力スイッチを備えた操作パネルやキーボード等である。
【００２７】
送信部１２は、制御部１６の制御に従って、超音波探触子２へケーブル３を介して電気信号の送信信号を供給して超音波探触子２に第１超音波信号を発生させる回路である。送信部１２は、例えば、高電圧のパルスを生成する高圧パルス発生器等を備えて構成される。受信部１３は、制御部１６の制御に従って、超音波探触子２からケーブル３を介して電気信号の受信信号を受信する回路であり、この受信信号を画像処理部１４へ出力する。受信部１３は、例えば、ケーブル３の伝送損失（伝送ロス）を補償すべく、受信信号を予め設定された所定の増幅率で増幅する増幅器、および、この増幅器で増幅された受信信号をアナログ信号からディジタル信号へ変換するアナログ−ディジタル変換器等を備えて構成される。
【００２８】
画像処理部１４は、制御部１６の制御に従って、受信部１３で受信した受信信号に基づいて被検体内の内部状態の画像（超音波画像）を生成する回路である。
【００２９】
上述のハーモニックイメージング技術には、例えば、特開２００１−２８６４７２号公報等に開示されているように、大別すると、フィルタ法と位相反転法（パルスインバージョン法）との２つの方法がある。このフィルタ法は、高調波検出フィルタによって基本波成分と高調波成分とを分離し、高調波成分だけを抽出し、この高調波成分から超音波画像を生成する方法である。また、この位相反転法は、同一方向に続けて互いに位相が反転している第１および第２送信信号を送信し、これら第１および第２送信信号に対応する第１および第２受信信号を加算することによって高調波成分を抽出し、この高調波成分から超音波画像を生成する方法である。第１および第２受信信号における基本波成分は、位相が反転しているが、高調波の例えば第２次高調波成分は、同相となるため、第１および第２受信信号を加算することによってこの第２次高調波成分が抽出される。
【００３０】
画像処理部１４では、例えば、フィルタ法によって受信信号から高調波成分が抽出され、この抽出された高調波成分に基づいてハーモニックイメージング技術を用いて被検体内部の内部状態の超音波画像が生成される。また例えば、画像処理部１４では、位相反転法（パルスインバージョン法）によって受信信号から高調波成分が抽出され、この抽出された高調波成分に基づいてハーモニックイメージング技術を用いて被検体内部の内部状態の超音波画像が生成される。
【００３１】
表示部１５は、制御部１６の制御に従って、画像処理部１４で生成された被検体の超音波画像を表示する装置である。表示部１５は、例えば、ＣＲＴディスプレイ、ＬＣＤ、有機ＥＬディスプレイおよびプラズマディスプレイ等の表示装置やプリンタ等の印刷装置等である。
【００３２】
制御部１６は、例えば、マイクロプロセッサ、記憶素子およびその周辺回路等を備えて構成され、これら超音波探触子２、操作入力部１１、送信部１２、受信部１３、画像処理部１４および表示部１５を当該機能に応じてそれぞれ制御することによって超音波診断装置Ｓの全体制御を行う回路である。
【００３３】
超音波探触子（超音波プローブ）２は、被検体内に第１超音波信号を送信しこの第１超音波信号に基づく被検体内から来た第２超音波信号を受信する装置であって、第１および第２圧電材料を備えて成り、圧電現象を利用することによって電気信号と超音波信号との間で相互に信号を変換することができる第１および第２圧電部を備えている。
【００３４】
ここで、注目すべきは、第１圧電部が、送信専用であって、無機圧電材料を備えて成り、圧電現象を利用することによって電気信号の送信信号（送信電気信号）を第１超音波信号に変換する送信用圧電部であり、第２圧電部が、受信専用であって、有機圧電材料を備えて成り、圧電現象を利用することによって前記第２超音波信号を電気信号の受信信号（受信電気信号）に変換する受信専用の受信用圧電部であることである。そして、注目すべきは、この超音波探触子２が、第１超音波信号の周波数を基本周波数とした場合に、受信電気信号の周波数成分のうち、第２超音波信号の高調波成分に対応する周波数成分を増幅する増幅部をさらに備えることである。
【００３５】
このような構成の超音波探触子２は、例えば、図３および図４に示すように、平板状の音響制動部材２１と、この音響制動部材２１の一方主面上に積層された送信用圧電部２２と、この送信用圧電部２２上に積層された中間層２３と、この中間層２３上に積層された受信用圧電部２４と、この受信用圧電部２４上に積層された音響整合層２５と、この音響整合層２５上に積層された音響レンズ２６と、受信用圧電部２４の出力を増幅する増幅部２７と、ケーブル３の接続先を送信用圧電部２２および増幅部２７を介して受信用圧電部２４のうちの一方に切り換えるスイッチ部２８とを備えて構成される。なお、図３には、超音波探触子２に加えて、超音波診断装置本体１の一部が記載され、また、図３では、接地線の図示が省略されている。そして、図４では、音響整合層２５、音響レンズ２６、増幅部２７およびスイッチ部２８の図示が省略されている。これら音響制動部材２１、送信用圧電部２２、中間層２３、受信用圧電部２４、音響整合層２５、音響レンズ２６、増幅部２７およびスイッチ部２８は、超音波探触子２のハウジング（筐体）Ｈ内に収容されている。
【００３６】
音響制動部材２１は、超音波を吸収する材料から構成され、送信用圧電部２２から音響制動部材２１方向へ放射される超音波を吸収するものである。音響制動部材２１は、一般に、ダンパあるいはバッキング層とも呼ばれる。
【００３７】
送信用圧電部２２は、スイッチ部２８およびケーブル３を介して超音波診断装置本体１の送信部１２と接続されており、無機圧電材料を備えて成り、圧電現象を利用することによって電気信号の送信信号を第１超音波信号に変換するものである。送信用圧電部２２は、単一の圧電素子から構成されてもよいが、本実施形態では、複数の無機圧電素子を備えて構成されている。これら複数の無機圧電素子は、ライン上に一列に配列されて構成されてもよいが、本実施形態では、例えば、図４に示すように、互いに所定の間隔を空けて平面視にて線形独立な２方向に、例えば、互いに直交する２方向にｍ行×ｎ列でアレイ状に２次元配列されて構成されている（ｍ、ｎは、正の整数である）。各無機圧電素子は、無機圧電材料から成る圧電体における互いに対向する両面にそれぞれ電極を備えて構成されている。この圧電体の厚さは、例えば、送信すべき超音波の周波数や無機圧電材料の種類等によって適宜に設定される。これら複数の無機圧電素子のそれぞれには、送信部１２からケーブル３およびスイッチ部２８を介して電気信号の送信信号が入力される。この電気信号は、各無機圧電素子の各電極に入力される。複数の無機圧電素子は、この電気信号を圧電現象を利用することによって超音波信号に変換してこの超音波信号を送信する。超音波探触子２が被検体に当てられることによって、送信用圧電部２２で生成された超音波信号が被検体内へ送信される。
【００３８】
無機圧電材料は、例えば、いわゆるＰＺＴ、水晶、ニオブ酸リチウム（ＬｉＮｂＯ３）、ニオブ酸タンタル酸カリウム（Ｋ（Ｔａ，Ｎｂ）Ｏ３）、チタン酸バリウム（ＢａＴｉＯ３）、タンタル酸リチウム（ＬｉＴａＯ３）およびチタン酸ストロンチウム（ＳｒＴｉＯ３）等である。
【００３９】
中間層（バッファ層）２３は、送信用圧電部２２と受信用圧電部２４とを積層するための部材である。本実施形態では、中間層２３は、送信用圧電部２２と受信用圧電部２４との音響インピーダンスを整合させる部材である。
【００４０】
受信用圧電部２４は、増幅部２７、スイッチ部２８およびケーブル３を介して超音波診断装置本体１の受信部１３と接続されており、有機圧電材料を備えて成り、圧電現象を利用することによって第２超音波信号を電気信号の受信信号に変換するものである。受信用圧電部２４は、単一の圧電素子から構成されてもよいが、本実施形態では、複数の有機圧電素子を備えて構成されている。これら複数の有機圧電素子は、ライン上に一列に配列されて構成されてもよいが、本実施形態では、例えば、図４に示すように、中間層２４を介して各無機圧電素子上に積層されている。すなわち、これら複数の有機圧電素子は、互いに所定の間隔を空けて平面視にて線形独立な２方向に、例えば、互いに直交する２方向にｍ行×ｎ列でアレイ状に２次元配列されて構成されている（ｍ、ｎは、正の整数である）。各有機圧電素子は、有機圧電材料から成る圧電体における互いに対向する両面にそれぞれ電極を備えて構成されている。複数の有機圧電素子のそれぞれでは、反射波の第２超音波信号が受信され、圧電現象を利用することによってこの受信した第２超音波信号を電気信号に変換してこの電気信号を出力する。この電気信号は、各有機圧電素子の電極から出力される。この電気信号は、増幅部２７、スイッチ部２８およびケーブル３を介して超音波診断装置本体１の受信部１３へ出力される。
【００４１】
有機圧電材料は、例えば、フッ化ビニリデンの重合体を用いることができる。また例えば、有機圧電材料は、フッ化ビニリデン（ＶＤＦ）系コポリマを用いることができる。このフッ化ビニリデン系コポリマは、フッ化ビニリデンと他の単量体との共重合体（コポリマ）であり、他の単量体としては、３フッ化エチレン、テトラフルオロエチレン、パーフルオロアルキルビニルエーテル（ＰＦＡ）、パーフルオロアルコキシエチレン（ＰＡＥ）およびパーフルオロヘキサエチレン等を用いることができる。フッ化ビニリデン系コポリマは、その共重合比によって厚み方向の電気機械結合定数（圧電効果）が変化するので、例えば、超音波探触子の仕様等に応じて適宜な共重合比が採用される。例えば、フッ化ビニリデン／３フッ化エチレンのコポリマの場合では、フッ化ビニリデンの共重合比が６０ｍｏｌ％〜９９ｍｏｌ％が好ましく、有機圧電素子を無機圧電素子に積層する複合素子の場合では、フッ化ビニリデンの共重合比が８５ｍｏｌ％〜９９ｍｏｌ％がより好ましい。また、このような複合素子の場合では、他の単量体は、パーフルオロアルキルビニルエーテル（ＰＦＡ）、パーフルオロアルコキシエチレン（ＰＡＥ）およびパーフルオロヘキサエチレンが好ましい。また例えば、有機圧電材料は、ポリ尿素を用いることができる。このポリ尿素の場合では、蒸着重合法で圧電体を作成することが好ましい。ポリ尿素用のモノマとして、一般式、Ｈ２Ｎ−Ｒ−ＮＨ２構造を挙げることができる。ここで、Ｒは、任意の置換基で置換されてもよいアルキレン基、フェニレン基、２価のヘテロ環基、ヘテロ環基を含んでもよい。ポリ尿素は、尿素誘導体と他の単量体との共重合体であってもよい。好ましいポリ尿素として、４，４’−ジアミノジフェニルメタン（ＭＤＡ）と４，４’−ジフェニルメタンジイソシアナート（ＭＤＩ）を用いる芳香族ポリ尿素を挙げることができる。
【００４２】
音響整合層２５は、送信用圧電部２２の音響インピーダンスと被検体の音響インピーダンスとの整合をとると共に、受信用圧電部２４の音響インピーダンスと被検体の音響インピーダンスとの整合をとる部材である。音響整合層２５は、単層で構成されてもよく、あるいは、複数層で構成されてもよい。例えば、受信周波数帯域を広帯域化する場合では、音響整合層２５は、複数層で構成されることが好ましい。音響レンズ２６は、被検体に向けて送信される超音波を収束する部材であり、例えば、図３に示すように、円弧状に膨出した形状とされている。
【００４３】
増幅部２７は、その入力端が受信用圧電部２４に接続され、その出力端がスイッチ部２８に接続され、第１超音波信号の周波数を基本周波数とした場合に、受信用圧電部２４から出力された受信電気信号の周波数成分のうち、第２超音波信号の高調波成分に対応する周波数成分を増幅する回路である。
【００４４】
増幅部２７は、例えば、非線形増幅器とハイパスフィルタとを備えて構成される。非線形増幅器は、周波数とゲインとの対応関係を示すゲイン特性が非線形である。非線形増幅器は、互いに異なる通過帯域を有する複数ｎ個のバンドパスフィルタと（ｎは、正整数である）、各バンドパスフィルタで非線形高次高調波をｆ２、ｆ３、・・・、ｆｎのｎ次まで帯域分割された各帯域のノイズレベルを算出するノイズレベル算出器と、このノイズレベル算出器で算出したノイズレベルに基づいて各帯域の増幅特性を算出する増幅特性算出器と、この増幅特性算出器で算出した各帯域の増幅特性に従って相似的にまたは矩形波的に各帯域の受信信号に含まれるノイズ信号を抑制する抑制器とを備えて構成され、全体として各帯域の受信信号を非線形高調波に応じて増幅するものある。非線形増幅部は、受信波の非線形高次高調波の信号強度レベルをその次数に応じて増幅する。例えば、非線形増幅部は、２次高調波を増幅する場合にはＡ２倍で増幅し、３次高調波を増幅する場合にはＡ３倍で増幅し、このようにｎ次高調波を増幅する場合にはＡｎ倍で増幅する。３次高調波を選択的に増幅する場合には、３次高調波を増幅するための増幅率Ａ３の比率を上げ、その他の増幅率の比率を下げることができる。そして、非線形増幅のゲイン特性は、第２高調波信号の高調波成分に対応する周波数成分を増幅する観点から、「ゲイン＝Σ（ｆｎ×Ａｎ）（Σはｋ＝２からｎまでの和である）」の非線形の和に比例する関係で表される。周波数ｆｎは、基本波の周波数の設定によって決まるので、無機圧電素子の周波数定数に依存する。Ａｎの係数は、圧電素子の材料によって適宜に選択される。
【００４５】
また、ハイパスフィルタの通過周波数帯域は、ノイズを低減すべく、受信電気信号の周波数成分のうち、第２超音波信号の高調波成分に対応する周波数成分が通過するように、適宜に設定される。例えば、ハーモニックイメージング技術によって超音波画像を生成する場合に第２次高調波を用いる場合には、ハイパスフィルタの通過周波数帯域は、受信電気信号の周波数成分のうち、第２次高調波成分が通過するように設定される。また例えば、ハーモニックイメージング技術によって超音波画像を生成する場合に第３次高調波を用いる場合には、ハイパスフィルタの通過周波数帯域は、受信電気信号の周波数成分のうち、第３次高調波成分が通過するように設定される。なお、ハイパスフィルタは、これに代えてバンドパスフィルタであっても良い。
【００４６】
スイッチ部２８は、ケーブル３を介して超音波診断装置本体１の送信部１２および受信部１３に接続されると共に、送信用圧電部２２および増幅部２７を介して受信用圧電部２４に接続され、ケーブル３の接続先を送信用圧電部２２および増幅部２７を介して受信用圧電部のうちの一方に切り換える回路である。より具体的には、図３に示すように、例えば、スイッチ部２８は、第１ないし第２端子２８１、２８２、２８３を備え、ケーブル３を介して超音波診断装置本体１の制御部１６から送信されて来る制御信号によって、第１端子２８１の接続を、送信用圧電部２２に接続される第２端子２８２、または、受信用圧電部２８３に増幅部２７を介して接続される第３端子２８３に切り換える回路である。
【００４７】
ケーブル３は、本実施形態では、送信信号や受信信号を伝送するための信号線と、超音波診断装置本体１の制御部１６から出力された制御信号を伝送するための制御信号線とを備えて構成されている。信号線の一方は、超音波診断装置本体１の送信部１２および受信部１３に接続され、その他方は、スイッチ部２８の第１端子２８１に接続される。
【００４８】
このような構成の超音波診断装置Ｓでは、例えば、操作入力部１１から診断開始の指示が入力されると、制御部１６の制御によって送信部１２で電気信号の送信信号が生成される。この生成された電気信号の送信信号は、ケーブル３を介して超音波探触子２へ供給される。より具体的には、制御部１６の制御によってスイッチ部２８がスイッチングされることでその第１端子１がその第２端子２８２に接続され、この電気信号の送信信号は、超音波探触子２における複数の送信用圧電部２２へそれぞれ供給される。この電気信号の送信信号は、例えば、所定の周期で繰り返される電圧パルスである。複数の送信用圧電部２２は、それぞれ、この電気信号の送信信号が供給されることによってその厚み方向に伸縮し、この電気信号の送信信号に応じて超音波振動する。この超音波振動によって、複数の送信用圧電部２２は、中間層２３、受信用圧電部２４、音響整合層２５および音響レンズ２６を介して超音波（第１超音波信号）を放射する。超音波探触子２が被検体に例えば当接されていると、これによって超音波探触子２から被検体に対して第１超音波信号が送信される。
【００４９】
なお、超音波探触子２は、被検体の表面上に当接して用いられてもよいし、被検体の内部に挿入して、例えば、生体の体腔内に挿入して用いられてもよい。
【００５０】
この被検体に対して送信された第１超音波信号は、被検体内部における音響インピーダンスが異なる１または複数の境界面で反射され、超音波の反射波（第２超音波信号）となる。この第２超音波信号には、送信された第１超音波信号の周波数（基本波の基本周波数）成分だけでなく、基本周波数の整数倍の高調波の周波数成分も含まれる。例えば、基本周波数の２倍、３倍および４倍などの第２次高調波成分、第３次高調波成分および第４次高調波成分等も含まれる。この第２超音波信号は、超音波探触子２で受信される。より具体的には、この第２超音波信号は、音響レンズ２６および音響整合層２５を介して受信用圧電部２４で受信され、受信用圧電部２４で機械的な振動が電気信号に変換されて受信信号として取り出される。この取り出された電気信号の受信信号は、増幅部２７へ出力される。増幅部２７は、第１超音波信号の周波数を基本周波数とした場合に、電気信号の受信信号の周波数成分のうち、第２超音波信号の高調波成分に対応する周波数成分を増幅する。本実施形態では、増幅部２７は、非線形なゲイン特性でこれを増幅する。この増幅された電気信号の受信信号は、増幅部２７からスイッチ部２８およびケーブル３を介して受信部１３で受信される。ここで、超音波診断装置本体１の制御部１６は、この受信信号の受信タイミングに合わせて制御部１６の制御によってスイッチ部２８がスイッチングされることでその第１端子１がその第３端子２８３に接続されている。受信部１３は、この入力された受信信号を受信処理し、より具体的には、例えば増幅した後にアナログ信号からディジタル信号へ変換し、画像処理部１４へ出力する。
【００５１】
ここで、上述において、各送信用圧電部２２から順次に第１超音波信号が被検体に向けて送信され、被検体で反射した第２超音波信号が受信用圧電部２４で受信される。
【００５２】
そして、画像処理部１４は、制御部１６の制御によって、受信部１３で受信した受信信号に基づいて、例えばハーモニックイメージング技術を用いて、送信から受信までの時間や受信強度などから被検体内の内部状態の画像（超音波画像）を生成し、表示部１５は、制御部１６の制御によって、画像処理部１４で生成された被検体内の内部状態の画像を表示する。
【００５３】
以上、説明したように、超音波診断装置Ｓおよび超音波探触子２は、送信用圧電部２２が無機圧電材料を備えて構成されている。したがって、この超音波診断装置Ｓおよび超音波探触子２では、送信パワーを比較的簡単な構造で大きくすることが可能であるため、比較的大きなパワーで基本波の第１超音波信号を送信することができ、より大きな第２超音波信号の高調波成分を得ることができる。そして、超音波診断装置Ｓおよび超音波探触子２は、受信用圧電部２４が有機圧電材料を備えて構成されている。したがって、この超音波診断装置Ｓおよび超音波探触子２では、受信周波数帯域を比較的簡単な構造で広帯域にすることが可能であるため、第２超音波信号に含まれる高調波成分を受信することができる。さらに、超音波診断装置Ｓおよび超音波探触子２は、電気信号の受信信号の周波数成分のうち、第２超音波信号の高調波成分に対応する周波数成分を増幅する増幅部２７を備えて構成されている。したがって、この超音波診断装置Ｓおよび超音波探触子２では、第２超音波信号に含まれる高調波成分を増幅することができる。よって、この超音波診断装置Ｓおよび超音波探触子２は、第２超音波信号の高周波成分を背景技術に較べてより良好に受信することができ、そして、より良好に増幅することができる。
【００５４】
また、圧電素子で超音波信号を受信する場合に、通常、バイアス電圧が印加され、より大きな出力を得る場合には、大きなバイアス電圧の印加が必要となる。しかしながら、この超音波診断装置Ｓおよび超音波探触子２では、増幅部２７を備えるので、必ずしも大きなバイアス電圧の印可が必要ではない。このため、耐電圧が比較的低い有機圧電材料を受信用圧電部２４に用いることが可能となっている。
【００５５】
そして、この超音波探触子２は、第２超音波信号の高調波成分を増幅して出力することが可能であるので、ハーモニックイメージング技術によって超音波画像を形成する超音波診断装置Ｓに好適である。
【００５６】
また、本実施形態の超音波診断装置Ｓおよび超音波探触子２では、増幅部２７は、ゲイン特性が非線形である。このため、電気信号の受信信号の高調波成分がその次数に応じて選択的であるように増幅され、受信信号の高調波成分をより適切に増幅することが可能となる。
【００５７】
また、本実施形態の超音波診断装置Ｓおよび超音波探触子２は、第１端子２８１の接続を、送信用圧電部２２に接続される第２端子２８２、または、受信用圧電部２４に増幅部２７を介して接続される第３端子２８３に切り換えることができるスイッチ部２８を備えて構成されている。このため、この超音波診断装置Ｓおよび超音波探触子２では、スイッチ部２８がその第１端子２８１の接続を第２端子２８２または第３端子２８３に切り換えるので、第１端子２８１を入出力端子とすることができ、この第１端子２８１に接続する信号線を、送信用圧電部２２へ送信信号の電気信号を送る送信用信号線および受信用圧電部２４から受信信号の電気信号を送る受信用信号線として兼用することが可能となる。
【００５８】
また、本実施形態の超音波診断装置Ｓおよび超音波探触子２は、送信用圧電部２２上に中間層２３を介して受信用圧電部２４が積層され、受信用圧電部２４の前方に第１および第２超音波信号の送受信面（音響レンズ２６の表面）が在るように、構成されている。なお、受信用圧電部２４は、送信用圧電部２２上に直接的に積層されていても良く、また、中間層２３の他に、他の層がさらに在ってもよい。このため、この超音波診断装置Ｓおよび超音波探触子２では、第２超音波信号を受信する際に、第２超音波信号が受信用圧電部２４に到達する超音波探触子２内の伝播長は、送信用圧電部２２および受信用圧電部２４が第１および第２超音波信号の送受信方向において送受信面、送信用圧電部２２および受信用圧電部２４の順で積層されている場合に較べて、短くなる。したがって、この超音波診断装置Ｓおよび超音波探触子２では、第２超音波信号の減衰をより少なくすることができると共に、伝播中にノイズが乗る（重畳する）機会を低減することができる。よって、この超音波診断装置Ｓおよび超音波探触子２は、第１超音波信号に較べて微弱な第２超音波信号の受信に好適である。
【００５９】
また、本実施形態の超音波診断装置Ｓおよび超音波探触子２は、送信用圧電部２２がアレイ状に２次元配列された複数の圧電素子を備えて構成され、受信用圧電部２４がアレイ状に２次元配列された複数の有機圧電素子を備えて構成されている。このため、この超音波診断装置Ｓおよび超音波探触子２では、被検体の３次元超音波画像の形成が可能となる。
【００６０】
次に、実施例について説明する。
【００６１】
（実施例）
図４に示すマトリクス（２次元配列）アレイの超音波探触子２が試作された。より具体的には、受信用圧電部２４は、有機圧電フィルムによって形成され、この有機圧電フィルムは、フッ化ビニリデン／３フッ化エチレン（７５：２５）の共重合ペレットを使用して縦横３倍に無溶媒溶融延伸することによって、厚さ７５μｍで１５ｃｍ×１５ｃｍの正方形フィルムとして形成された。この有機圧電フィルムの両面にアルミニウムを蒸着することによって電極が形成され、通常の分極処理が行われた。その共振周波数は、８ＭＨｚであることをオシロスコープ（アジレント社製ＤＳＯ５０１２Ａ）で観察した。
【００６２】
送信用圧電部２２は、セラミック圧電層によって形成され、中間層２３が接合された。中間層２３は、圧電セラミックの整合層として機能するとともにバッキング層として機能するように、ビスフェノール型エポキシ樹脂に平均粒子径２μｍのタングステン粒子を７％混合した定法の組成で作成された。
【００６３】
送信用圧電部２２としてのセラミック圧電層には、圧電セラミック粉末としてＰＮＮ（ニッケルニオブ酸鉛）、ＰＴ（チタン酸鉛）およびＰＺ（ジルコン酸鉛）の成分からなる粉末が用いられ、そのモル比は、０．４８ＰＮＮ：０．３８ＰＴ：０．１４ＰＺとされた。これが、ＰＶＢ（ポリビニルブチラール）を用いて混合され、スラリー化された後に塗設され、焼結後膜圧が５００μｍとなる共振周波数４ＭＨｚの圧電セラミックシート（グリーンシート）が得られた。この圧電セラミックシート上に、前記のＰＮＮ−ＰＴ−ＰＺの粉末を１８体積％含む白金ペーストをスクリーン印刷法によって、膜厚が約５μｍとなる内部電極形状が塗布された。これが、４０ＧＰａ圧で圧着され、大気中の雰囲気で、１１５０℃の電気炉内に保持されて、約３時間の焼成熱処理が行われ、成型体が得られた。この成型体がＤＩＳＣＯ社製のダイシングソーによって１２８×１２８素子のアレイ状に切断され、図４に示す圧電素子が得られた。
【００６４】
この実施例において、セラミック圧電素子側の内部電極用ペーストとして、圧電セラミックと同じ組成の粉体が１８体積％含む金属導電体（Ｐｔ）ペーストを用いが、このような圧電セラミックと同じ組成の粉体を混合使用することは、圧電セラミック層と内部電極層との密着性を向上するために有効な方法として使用される。
【００６５】
この得られた１２８×１２８素子のアレイ状の圧電素子が超音波探触子２に組み込まれ、この超音波探触子２がインピーダンスマッチングを行って探触子として超音波診断装置Ｓに使用された。性能評価は、１００ｎｍ〜１ｍｍ間隔に深さ１ｃｍ〜５ｃｍまで順次ステンレス針を並べたアガロースファントームを使用することで行われた。送信基本周波数４ＭＨｚ、受信周波数２次高調波８ＭＨｚ、３次高調波１２ＭＨｚとなるように回路設計がなされ、非線形増幅器は、２次高調波を２２ｄＢで、３次高調波を４３ｄＢで非線形に増幅するものとして、ノイズフィルタは、２次高調波を２ｄＢ、３次高調波を３ｄＢで抑制する回路として撮像した。撮像の解像度を非線形増幅しないものと比較すると、シグナルノイズ比が１６ｄＢ向上した。このレベルは、例えば、胆嚢の有形ポリープをスペックルノイズ抑制下に鑑別出来るレベルであった。
【００６６】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【図面の簡単な説明】
【００６７】
【図１】実施形態における超音波診断装置の外観構成を示す図である。
【図２】実施形態における超音波診断装置の電気的な構成を示すブロック図である。
【図３】実施形態の超音波診断装置における超音波探触子の構成を示す図である。
【図４】実施形態の超音波診断装置における超音波探触子の構成を示す斜視図である。
【符号の説明】
【００６８】
Ｓ  超音波診断装置
Ｈ  ハウジング
１  超音波診断装置本体
２  超音波探触子
２２  送信用圧電部
２４  受信用圧電部
２７  増幅部
２８  スイッチ部
２８１  第１端子
２８２  第２端子
２８３  第３端子
【図１】
2009297326.tif 000003
【図２】
2009297326.tif 000004
【図３】
2009297326.tif 000005
【図４】
2009297326.tif 000006